Podtech/llm-jp-corpus-v4-ja_patent huggingface dataset:
(57)【要約】【課題】小児の遊び用バケツとして、又作業用のバケツとして、いろいろの水の注ぎ方を選べて便利なバケツを提供する。【解決手段】バケツ１の上部の縁２に数種の形状の吐水口３・４・５・を設け、バケツ１の上部、縁２の外側のスグ下に各種形状の持ち手６を設け持ちやすく、又水を注ぎやすく、そしてバケツ１にさげ手７を設けた小児遊具兼作業用バケツ。【選択図】    図    １
2005000594.tif 000002
【特許請求の範囲】
【請求項１】
バケツ本体（１）を傾ける箇所によって好みの水の流れを選べるようにバケツ本体（１）の上部の縁（２）の全周を数種の異なる形状に形成されたことを特徴とする小児遊具兼作業用バケツ。
【請求項２】
バケツ本体（１）の上部の縁（２）の吐水を細く一本にする吐水口（３）、吐水を太くする吐水口（４）、滝のように複数の流れの吐水口（５）を設けた請求項１に記載の小児遊具兼作業用バケツ。
【請求項３】
バケツ本体（１）の外側上部の縁（２）のすぐ下に全周を巻いた各種形状の持ち手（６）を設け、各吐水口から水等を流れやすく又、作業しやすくし、バケツ本体（１）の上部の縁（２）にさげ手（７）を設けた請求項１記載の小児遊具兼作業用バケツ。
【発明の詳細な説明】
【０００１】
【発明の属する技術分野】
この発明は、小児から大人まで、遊具又は作業用として、水の注ぎ方を変えられるバケツに関するものである。
【０００２】
【従来の技術】
従来、バケツにもいろいろな子供用のバケツとか形状の変わった形の技術が知られている。（例えば登録実用新案文献１参照）
【０００３】
【登録実用新案文献１】
登録実用新案  第３０２６９６０
【０００４】
【発明が解決しようとする課題】
これには次のような欠点があった。
（イ）従来のバケツは吐水口が１つで、吐水の水の巾が細くとか、太くとか又水の流れを複数にするのが困難であり出来なかった。
（ロ）水を注ぐときコントロールが難しく大量に水を注ぎ過ぎて失敗する子供達がいる。
本発明は、これらの欠点を除くためになされたものである。
【０００５】
【課題を解決するための手段】
各種のバケツ本体（１）の上部の縁（２）に数種の形状の吐水口を設け、その吐水口は、吐水を細く一本にする吐水口（３）、吐水を太くする吐水口（４）、吐水を滝のように複数の流れにする吐水口（５）を設ける。
そして、バケツ本体（１）の上部の縁（２）のすぐ下の外側全周に各種形状の持ち手（６）を設ける。又、バケツ本体（１）の上部の縁（２）にさげ手（７）を設ける。
本発明は、以上のような構成よりなる小児遊具兼作業用バケツである。
【０００６】
【発明の実施の形態】
以下、本発明の実施の形態について説明する。
（イ）バケツ本体（１）の上部に、縁（２）を設ける。
（ロ）バケツ本体（１）の上部の縁（２）に数種の異なった吐水口を設ける。
（ハ）バケツ本体（１）の上部の縁（２）すぐ下の全周に多種形状の持ち手（６）を設ける。
（ニ）バケツ本体（１）の上部の縁（２）の外側にさげ手（７）を設ける。
本発明は、以上のような構造で、これを使用するときは、バケツ本体（１）の上部の縁（２）の外側下部の多種形状の持ち手（６）又はさげ手（７）でバケツ本体（１）を持って、数種類のお好みの吐水口から注ぎ水の種類を選ぶことが出来る。
【０００７】
【発明の効果】
小児用の遊び用バケツとして又は作業用バケツとして持ち手の位置を変えることにより数種類の吐水口からいろいろの水が流れ出る効果がある。
【図面の簡単な説明】
【図１】本発明の正面図である。
【図２】本発明の右側面図である。
【図３】本発明の平面図である。
【符号の説明】
１  バケツ本体
２  縁
３  細い吐水口
４  太い吐水口
５  複数の流れの吐水口
６  多種形状の持ち手
７  さげ手
【図１】
2005000594.tif 000003
【図２】
2005000594.tif 000004
【図３】
2005000594.tif 000005
(57)【要約】【課題】従来の卓球練習機は、ほとんどがプレイヤーに対して球を発する装置であった。しかしサーブの練習にあっては自ら打球するため、受け手となる適度な技術をもった人が必要であり、個人的には対応してくれる人は大変少なく単独で練習することは大変難しい、通常の練習では予め球を多数用意し、サーブの練習を行うが、打ったサーブ球は先方に多数散乱し、手元の球が無くなるとその球を拾い集めては同様の作業の繰り返しが通例であった。【解決手段】プレイヤー（１）が、打球したサーブ球（２）は防球ネット（４）に当り落下し、回収溝（５）から回収口（６）を伝わって搬送溝（７）を通ってプレイヤーの手元まで搬送させ、ホッパー（８）内に蓄え、プレイヤーは連続でサーブ練習が出来る構造である。【選択図】  図２
2005000579.tif 000002
【特許請求の範囲】
【請求項１】
卓球のサーブ練習時、卓球台の前方に防球ネットと、その下部に回収搬送溝を設け、打球後ネットに当った球を再びプレイヤーの手元まで回収する卓球サーブ練習装置。
【発明の詳細な説明】
【０００１】
【発明の属する技術分野】
本発明は卓球サーブ練習装置に属する
【０００２】
【従来の技術】
従来の卓球練習装置は、１組の卓球台前方へ発球機を設置し、その装置周辺に球を必要量蓄えておき、その発球機から連続でプレイヤーに向って発球し、その球をプレイヤーが打ち返す受身的な練習装置が一般的で、サーブの練習装置はまだ存在していない。
【０００３】
【発明が解決しようとする課題】
卓球の基本は、サーブで先手を取ることはプレイを優位に導く基本技術である。しかしその練習は、ある程度の高度な技術をもった対人プレイヤーが必要であり、個人では対応してくれる人は数少ない。また極秘で裏技を習得する場合は、他人にたよらず独自で自由に練習する機会が必要である。
通常のサーブ練習時は、プレイヤーは予め手元に適当数球を用意しておき、順次サーブ球を打つ、そして打った球は先方へ多数散乱する。手元の球が無くなると、その球を拾い集めては再度プレイを再開することが通例であった。
【０００４】
【課題を解決する手段】
従来の卓球練習機は、ほとんどがプレイヤーに対して球を発する装置であり、受身的な練習装置であったが、本発明のサーブの練習装置はその逆でプレイヤーが打球し、その球を防球ネットよりプレイヤーの手元へ回収し連続でプレイが出来る装置である。
そしてプレイヤーは対人を意識せず自由に練習が出来るものである。
【０００５】
基本的な構造として、一組の卓球台前方に防球ネットを設け、その防球ネット下部に回収溝と回収口を設ける。打球によりネットに当り落下した球は、回収溝を通って回収口へ転がり、傾斜した搬送溝を通ってプレイヤーの手元のホッパーへ蓄えられる構造である。
【０００６】
背の高いプレイヤーの場合、ホッパー位置が低く扱いが不自由な時は、ホッパーを適度な高さに設定し、コンベヤーを使用して、球を上方に搬送しホッパー内に回収する構造とすることも出来る。
【０００７】
【発明の実施の形態】
本発明の卓球サーブ練習装置は、卓球台（３）の前方にネット枠（１０）を設け、その枠に防球ネット（４）を張る、そのネットは球が当たっても通過できない程度の網目を使用する。ネットの他、布や糸状のものを多数下げ幕状で使用することも考えられるが、いずれも同様の成果が得られる。そしてネット幅は卓球台幅より少し広めの構造とし、高さもプレイヤーの背丈ほどが使用し易い。そして卓球台面より低位置で、ネットの下部に落下した球が回収溝を伝わって左右又は中央何れかの回収口に球が転がり落ち、この回収口にプレイヤーまで伸びた搬送溝を設けて球がプレイヤーの手元まで転がってくる構造とする。
ネット下の回収口からプレイヤーの手元まで多少距離があるので、球が転がるのに必要な勾配を設けた構造とする。そして搬送溝の断面はＶ、Ｕ型溝や角、パイプ状、コイルバネなどさまざまな形状が考えられるが、成果は同様である。加工上はＶ又はＵ型が最も安価で加工性が良く、実用性も良い。
又、搬送口の先端部にはホッパーを設けて多少の球を蓄えておくと練習時の効率は良いが、特にホッパーは使用しなくても搬送溝の先端に数個の球を蓄えたままでも同様の結果が期待できる。
【０００８】
図３のようにプレイヤーの背が高く、ホッパー位置が低くてプレイに不自由がある場合には、搬送コンベヤー（図３−９）を使用してホッパー位置を高く保ち、プレイヤーの腰の辺にホッパーを位置することも可能である。
【０００９】
【発明の効果】
本発明は、以上の説明に基づき以下に記載されるような効果を得ることが出来る。
【００１０】
本発明の卓球サーブ装置は、球の自動循環でサーブプレイが可能なため、単独で自由に練習できることが最大のポイントである。サーブの練習は初心者はもちろんのこと、上級者になるほど高度なテクニックを必要とし、本装置を使用した練習により、サーブの基本技術はもとより更に高度な裏技を人に知られず習得ができ、高度なサーブ技術も期待できる装置である。
【００１１】
【図面の簡単な説明】
【図１】本装置の球の循環概要図である。
【図２】卓球台を除いた卓球サーブ装置の概要図である。
【図３】コンベヤーを使用した卓球サーブ装置図である。
【符号の説明】
１  プレイヤー
２  球
３  卓球台
４  防球ネット
５  回収溝
６  回収口
７  搬送溝
８  ホッパー
９  搬送コンベヤー（図３）
１０  ネット枠
１１  ベルト
１２  モーター
【図１】
2005000579.tif 000003
【図２】
2005000579.tif 000004
【図３】
2005000579.tif 000005
(57)【要約】【課題】小型化が容易で、十分かつ安定的な分離効率を有する濃縮器を提供すること。【解決手段】加熱媒体入口および出口を有する外筒と、原液入口、蒸発蒸気出口および濃縮液出口を有する内管とからなる濃縮器であって、前記蒸発蒸気出口の分岐位置が外筒内部にあることを特徴とする濃縮器。【選択図】図１
2005000809.tif 000002
【特許請求の範囲】
【請求項１】
加熱媒体入口および出口を有する外筒と、原液入口、蒸発蒸気出口および濃縮液出口を有する内管とからなる濃縮器であって、前記蒸発蒸気出口の分岐位置が外筒内部にあることを特徴とする濃縮器。
【発明の詳細な説明】
【０００１】
【発明の属する技術分野】
本発明は、濃縮器に関する。
【０００２】
【従来の技術】
濃縮器は、濃縮しようとする原液を、加熱媒体で加熱し、その一部を蒸発させ、濃縮液を得る器具であり、汎用的に用いられる実験器具の一つである。従来知られている濃縮器としては、例えば図７に示すような濃縮器が挙げられる。図７に示した濃縮器は、原液を加熱する部分と、蒸発蒸気と濃縮液を分離する気液分離部分が分かれており、しかも前記気液分離部分が、加熱媒体が流れる外筒の外にあるため、濃縮器の小型化が難しく、しかも分離効率も安定しにくく、気液分離部分を加熱する必要があるという欠点があった。
【０００３】
【発明が解決しようとする課題】
このような状況のもと、本発明者らは、小型化が容易で、十分かつ安定的な分離効率を有する濃縮器を開発すべく、鋭意検討したところ、原液が加熱媒体により加熱されて生じる蒸発蒸気を取り出す蒸発蒸気出口の分岐位置を、加熱媒体が流れる外筒内部に設けることにより、前記分岐位置が気液分離部分として機能し、気液分離部分を別途設ける必要がなく、濃縮器の小型化が容易であり、しかも蒸発蒸気と濃縮液の分離効率が安定することを見出し、本発明に至った。
【０００４】
【課題を解決するための手段】
すなわち本発明は、加熱媒体入口および出口を有する外筒と、原液入口、蒸発蒸気出口および濃縮液出口を有する内管とからなる濃縮器であって、前記蒸発蒸気出口の分岐位置が外筒内部にあることを特徴とする濃縮器を提供するものである。
【０００５】
【発明の実施の形態】
以下、図面に基づき本発明を説明する。図１に、本発明の濃縮器の一つの例を示した。図１に示すように、本発明の濃縮器１は、加熱媒体入口２および出口３を有する外筒４と、原液入口５、蒸発蒸気出口６および濃縮液出口７を有する内管８とからなる濃縮器であって、前記蒸発蒸気出口６の分岐位置９が外筒４内部にあることを特徴とする濃縮器である。
【０００６】
外筒４は、その内部を加熱媒体が流れ、原液を加熱するものであり、内管８の外面を覆うように設けられ、その断面形状は特に制限されない。
【０００７】
加熱媒体入口２と加熱媒体出口３の設置位置は特に制限されないが、効率的に、内管８内を流れる原液に熱を加えるため、通常は、外筒４の、内管８の蒸発蒸気出口６の分岐位置９に近い部分に、加熱媒体入口２が設けられ、外筒４の、内管８の原液入口５に近い部分に、加熱媒体出口３が設けられる。加熱媒体としては、特に制限されず、例えば温水、スチーム、シリコーンオイル等が挙げられる。
【０００８】
図１に示した濃縮器の内管８は、直管状であるが、図２に示すようなコイル状であってもよいし、図３に示すような波状であってもよい。また、図４に示すような連球状であってもよい。
【０００９】
内管８の断面形状は、特に制限ないが、原液へ流れの円滑性、加熱媒体による加熱の均一性等を考慮すると、円形、楕円形が好ましい。内管８の断面積や長さも、特に制限されず、適宜決定すればよい。
【００１０】
蒸発蒸気出口６の分岐位置９が、外筒４内部にあればよく、蒸発蒸気出口６と分岐位置９とを結ぶ線と分岐位置９と濃縮液出口７とを結ぶ線で挟まれる分岐角θの大きさは特に制限されない。また、図２のように、前記分岐位置９付近の内管の断面積を大きくする等前記分岐位置９付近の形状を代えてもよい。また、図５に示すように、分岐位置９と蒸発蒸気出口６が近接せず、離れていてもよい。
【００１１】
本発明の濃縮器は、原液が内管内を流れるのであれば、どのように設置してもよく、例えば図１〜図４に示したように、原液が鉛直下向きに流れるよう設置してもよいし、図６に示したように、原液が水平方向に流れるよう設置し使用してもよいし、図示しないが、斜め下方に原液が流れるよう設置し使用してもよい。
【００１２】
本発明の濃縮器の材質は特に制限されず、例えばガラス、ステンレス等任意に選択すればよいが、汎用性の面から、ガラスが好適である。
【００１３】
【発明の効果】
本発明の濃縮器は、原液が加熱媒体により加熱されて生じる蒸発蒸気を取り出す蒸発蒸気出口の分岐位置を、加熱媒体が流れる外筒内部に設けられており、前記分岐位置が気液分離部分として機能し、気液分離部分を別途設ける必要がなく、濃縮器の小型化が容易で、しかも蒸発蒸気と濃縮液の分離効率が安定するため、有利である。
【図面の簡単な説明】
【図１】本発明の濃縮器の一実施態様であって、内管が直管状である濃縮器を横から見た図である。
【図２】本発明の濃縮器の別の実施態様であって、内管がコイル状である濃縮器を横から見た図である。
【図３】本発明の濃縮器の別の実施態様であって、内管が波状である濃縮器を横から見た図である。
【図４】本発明の濃縮器の別の実施態様であって、内管が連球状である濃縮器を横から見た図である。
【図５】本発明の濃縮器の別の実施態様であって、分岐位置と蒸発蒸気出口が近接せず、離れている濃縮器を横から見た図である。
【図６】本発明の濃縮器の別の実施態様であって、原液が水平方向へ流れるよう設置された濃縮器を横から見た図である。
【図７】従来の濃縮器の模式図である。
【符号の説明】
１  濃縮器、２  加熱媒体入口、３  加熱媒体出口、４  外管、５  原液入口、６  蒸発蒸気出口、７  濃縮液出口、８  内管、９  分岐位置、θ  分岐角、
Ｆ  原液、Ｄ  蒸発蒸気、Ｗ  濃縮液、Ｑ  加熱媒体
【図１】
2005000809.tif 000003
【図２】
2005000809.tif 000004
【図３】
2005000809.tif 000005
【図４】
2005000809.tif 000006
【図５】
2005000809.tif 000007
【図６】
2005000809.tif 000008
【図７】
2005000809.tif 000009
(57)【要約】【課題】液体が出口に運び出されないようにする。【解決手段】排気管１０の外側円筒と内側円筒の間で形成する環状空間１１に旋回羽根１２を配置する。環状空間１１の上方を入口４に連結し、排気管１０の内側円筒の内側を通してその上方を出口５に連結する。環状空間１１の下方に旋回室１４を形成し、旋回室１４の下方に液溜室１５を形成し、液溜室１５の下端を排液口８に連結する。入口４の下端にバイパス管２０の一端を溶接し、本体１の下部にバイパス管２０の他端を溶接して、入口４の下端と液溜室１５をバイパス通路２１で連通する。【選択図】            図１
2005000864.tif 000002
【特許請求の範囲】
【請求項１】
ケーシングと排気管で形成する環状空間に旋回羽根を配置し、環状空間の上方を入口に連結し、排気管の内側の孔を通してその上方を出口に連結し、環状空間の下方に旋回室と該旋回室の下方に液溜室を形成して該液溜室の下部を排液口に連結したものにおいて、入口の下部と液溜室を連通するバイパス通路を形成したことを特徴とする気液分離器。
【発明の詳細な説明】
【０００１】
【発明の属する技術分野】
本発明は、蒸気や圧縮空気や各種ガス等の気体中に混入している復水や凝縮水等の液体をケーシング内に旋回流を起こして遠心力によって分離する気液分離器に関する。
【０００２】
【従来の技術】
【特許文献１】
特開２００２−２８４２２
従来の気液分離器は、例えば特開２００２−２８４２２に示されている。この気液分離器は、ケーシングと排気管で形成する環状空間に旋回羽根を配置し、環状空間の上方を入口に連結し、排気管の内側の孔を通してその上方を出口に連結し、環状空間の下方に旋回室と該旋回室の下方に液溜室を形成して該液溜室の下部を排液口に連結したものである。
【０００３】
【発明が解決しようとする課題】
上記従来の気液分離器は、入口から環状空間に入った気体と液体の混合流体を旋回羽根で旋回せしめて遠心力の作用で液体を外側に振り出し、液体をケーシングの内周壁に沿って流下させて排液口から排出し、液体の分離された気体を排気管の下端から内側の孔を通して出口に流出させるものであるが、入口に流入してくる液体量が多い場合には一部の液体が外側に振り出されず、気体流と共に出口に運び出されてしまうために、気液の分離効率が悪い問題点があった。
【０００４】
従って、本発明の技術的課題は、液体が出口に運び出されないようにすることである。
【０００５】
【課題を解決するための手段】
上記の技術的課題を解決するために講じた本発明の技術的手段は、ケーシングと排気管で形成する環状空間に旋回羽根を配置し、環状空間の上方を入口に連結し、排気管の内側の孔を通してその上方を出口に連結し、環状空間の下方に旋回室と該旋回室の下方に液溜室を形成して該液溜室の下部を排液口に連結したものにおいて、入口の下部と液溜室を連通するバイパス通路を形成したことを特徴とする気液分離器にある。
【０００６】
【発明の実施の形態】
入口に流入してくる液体量が多い場合には、液体と気体は液体が下部を気体が上部を流れる二相流となって入口を流れる。本発明は、入口の下部と液溜室を連通するバイパス通路を形成したものであるので、入口の下部を流れる液体がバイパス通路を通して直接液溜室に流下し、入口の上部を流れる気体と一部の液体が環状空間に流下する。このように、環状空間に流下する液体量を少なくできるので、遠心力の作用で液体を確実に外側に振り出すことができ、液体が気体流と共に出口に運び出されることがない。
【０００７】
【実施例】
上記の技術的手段の具体例を示す実施例を説明する（図１乃至図２参照）。ケーシングは本体１に出入口部材２と底蓋３を夫々溶接して形成する。出入口部材２は左右に入口４と出口５を有し、底蓋３は下端中央に排液口８を有する。
【０００８】
本体１は円筒形状で上部内面の直径を大きく形成する。本体１の上部内面と下部内面との間の環状の段部に、二重のほぼ円筒形状の排気管１０を載せ、排気管１０を出入口部材２との間で固定する。排気管１０の外側円筒は真直ぐな形状で内側円筒よりも低く形成する。外側円筒は省略して本体１で兼用することもできる。排気管１０の内側円筒は上端部が上方に向かって緩やかに拡がり、下端部が下方に向かって緩やかに拡がった形状である。
【０００９】
排気管１０の内外円筒の間に形成される環状空間１１に、排気管１０と一体に旋回羽根１２を形成する。入口４は下方の環状空間１１に連結し、排気管１０の内側円筒の内側は上方の出口５に連結する。本体１の内面と底蓋３の内面との間に旋回室１４と、旋回室１４の下方に液溜室１５を形成し、液溜室１５の下端を排液口８に連結する。旋回室１４と液溜室１５とを隔てる隔壁部材１７を配置する。隔壁部材１７は円板形状で外周に４個の突起１８を有し、突起１８の外端を本体１に溶接して固定する。突起１８の間の隔壁部材１７外周縁と底蓋３内周壁との間に液体通過用隙間１９を形成する。入口４の下端にバイパス管２０の一端を溶接し、本体１の下部にバイパス管２０の他端を溶接して、入口４の下端と液溜室１５をバイパス通路２１で連通する。
【００１０】
入口４を二相流となって流れる流体は、入口４の下部を流れる液体がバイパス通路２１を通して直接液溜室１５に流下し、入口４の上部を流れる気体と一部の液体が環状空間１１に流下する。環状空間１１に入った気体と一部の液体は旋回羽根１２で旋回せしめられ、液体が遠心力の作用で外側に振り出されて本体１の内周壁に沿って流下し、突起１８の間の液体通過用隙間１９を通って液溜室１５に流下し、排液口８から系外に排出される。液体の分離された気体は排気管１０の内側円筒の下端から内側の孔を通って出口５から流出する。
【００１１】
【発明の効果】
上記のように本発明によれば、環状空間に流下する液体量を少なくすることができるので、液体が気体と共に出口に運び出されることがなく、気液の分離効率を高めることができるという優れた効果を生じる。
【図面の簡単な説明】
【図１】本発明の気液分離器の断面図。
【図２】図１のＡ−Ａ断面図。
【符号の説明】
１    本体
２    出入口部材
３    底蓋
４    入口
５    出口
８    排液口
１０    排気管
１１    環状空間
１２    旋回羽根
１４    旋回室
１５    液溜室
１７    隔壁部材
１８    突起
１９    液体通過用隙間
２０    バイパス管
２１    バイパス通路
【図１】
2005000864.tif 000003
【図２】
2005000864.tif 000004
(57)【要約】【課題】液体が出口に運び出されないようにする。【解決手段】排気管１０の外側円筒と内側円筒の間で形成する環状空間１１に旋回羽根１２を配置する。環状空間１１の上方を入口４に連結し、排気管１０の内側円筒の内側を通してその上方を出口５に連結する。環状空間１１の下方に旋回室１４を形成し、旋回室１４の下方に排液弁室１５を形成し、排液弁室１５に排液口８を開閉する中空球形の弁フロート１６を配置する。入口４の下端にバイパス管２１の一端を連結する。バイパス管２１の他端は下本体２を貫通して隔壁部材１７に連結する。バイパス管２１によって入口４の下端と排液弁室１５の隔壁部材１７の内側をバイパス通路２２で連通する。【選択図】            図１
2005000865.tif 000002
【特許請求の範囲】
【請求項１】
ケーシングと排気管で形成する環状空間に旋回羽根を配置し、環状空間の上方を入口に連結し、排気管の内側の孔を通してその上方を出口に連結し、環状空間の下方に旋回室と該旋回室の下方に排液弁室を形成して該排液弁室に排液弁を配置したものにおいて、入口の下部と排液弁室を連通するバイパス通路を形成したことを特徴とする排液弁を備えた気液分離器。
【発明の詳細な説明】
【０００１】
【発明の属する技術分野】
本発明は、蒸気や圧縮空気や各種ガス等の気体中に混入している復水や凝縮水等の液体をケーシング内に旋回流を起こして遠心力によって分離し、分離した液体を排液弁によって排出する排液弁を備えた気液分離器に関する。
【０００２】
【従来の技術】
【特許文献１】
特開２００２−２７６８９０
従来の排液弁を備えた気液分離器は、例えば特開２００２−２７６８９０に示されている。この排液弁を備えた気液分離器は、ケーシングと排気管で形成する環状空間に旋回羽根を配置し、環状空間の上方を入口に連結し、排気管の内側の孔を通してその上方を出口に連結し、環状空間の下方に旋回室と該旋回室の下方に排液弁室を形成して該排液弁室に排液弁を配置したものである。
【０００３】
【発明が解決しようとする課題】
上記従来の排液弁を備えた気液分離器は、入口から環状空間に入った気体と液体の混合流体を旋回羽根で旋回せしめて遠心力の作用で液体を外側に振り出し、液体をケーシングの内周壁に沿って排液弁室に流下させて排液弁で自動的に排出し、液体の分離された気体を排気管の下端から内側の孔を通して出口に流出させるものであるが、入口に流入してくる液体量が多い場合には一部の液体が外側に振り出されず、気体流と共に出口に運び出されてしまうために、気液の分離効率が悪い問題点があった。
【０００４】
従って、本発明の技術的課題は、液体が出口に運び出されないようにすることである。
【０００５】
【課題を解決するための手段】
上記の技術的課題を解決するために講じた本発明の技術的手段は、ケーシングと排気管で形成する環状空間に旋回羽根を配置し、環状空間の上方を入口に連結し、排気管の内側の孔を通してその上方を出口に連結し、環状空間の下方に旋回室と該旋回室の下方に排液弁室を形成して該排液弁室に排液弁を配置したものにおいて、入口の下部と排液弁室を連通するバイパス通路を形成したことを特徴とする排液弁を備えた気液分離器にある。
【０００６】
【発明の実施の形態】
入口に流入してくる液体量が多い場合には、液体と気体は液体が下部を気体が上部を流れる二相流となって入口を流れる。本発明は、入口の下部と排液弁室を連通するバイパス通路を形成したものであるので、入口の下部を流れる液体がバイパス通路を通して直接排液弁室に流下し、入口の上部を流れる気体と一部の液体が環状空間に流下する。このように、環状空間に流下する液体量を少なくできるので、遠心力の作用で液体を確実に外側に振り出すことができ、液体が気体流と共に出口に運び出されることがない。
【０００７】
【実施例】
上記の技術的手段の具体例を示す実施例を説明する（図１参照）。ケーシングは上本体１に下本体２をボルトで締結し、下本体２に底蓋３をボルトで締結して形成する。上本体１は左右に入口４と出口５を有する。底蓋３は排液口６を有し、排液口６は排液弁座７に開けた排液弁口８から連通する。
【０００８】
下本体２の上面内端に二重のほぼ円筒形状の排気管１０を載せ、排気管１０を上本体１との間で固定する。排気管１０の外側円筒は真直ぐな形状で内側円筒よりも低く形成する。外側円筒は省略して本体１で兼用することもできる。排気管１０の内側円筒は上端部が上方に向かって緩やかに拡がり、下端部が下方に向かって緩やかに拡がった形状である。排気管１０の外側円筒の上面外端にテーパー状のスクリーン９を載せ、排気管１０の内側円筒の上端外周との間で固定する。排気管１０の内外円筒の間に形成される環状空間１１に、排気管１０と一体に旋回羽根１２を形成する。入口４はスクリーン９を通して下方の環状空間１１に連結し、排気管１０の内側円筒の内側は上方の出口５に連結する。
【０００９】
下本体２の内面と底蓋３の内面との間に旋回室１４と、旋回室１４の下方に排液弁室１５を形成する。排液弁室１５に排液弁としての中空球形の弁フロート１６を配置する。弁フロート１６は液位に応じて浮上降下して排液弁口８を開閉し、液体だけを排液口６から系外に排出する。弁フロート１６を逆カップ状の隔壁部材１７で覆う。隔壁部材１７は上部が半球状で周囲が円筒状であり、下端に手前側と向こう側に突出した２つの足１８を有し、足１８をねじで底蓋３に固定する。隔壁部材１７は下端に内外を連通する通液開口１９を有し、上部に内外を連通する２つの通気孔２０を有する。入口４の下端にバイパス管２１の一端を連結する。バイパス管２１の他端は下本体２を貫通して隔壁部材１７に連結する。バイパス管２１によって入口４の下端と排液弁室１５の隔壁部材１７の内側をバイパス通路２２で連通する。バイパス管２１の他端は隔壁部材１７の外側の排液弁室１５に連通しても良い。
【００１０】
入口４を二相流となって流れる流体は、入口４の下部を流れる液体がバイパス通路２２を通して直接排液弁室１５の隔壁部材１７の内側に流下し、入口４の上部を流れる気体と一部の液体が環状空間１１に流下する。環状空間１１に入った気体と一部の液体は旋回羽根１２で旋回せしめられ、液体が遠心力の作用で外側に振り出されて上本体１及び下本体２の内周壁に沿って排液弁室１５に流下する。弁フロート１６は液位に応じて浮上降下して排液弁口８を開閉し、液体だけを排液口６から系外に排出する。液体の分離された気体は排気管１０の内側円筒の下端から内側の孔を通って出口５から流出する。
【００１１】
【発明の効果】
上記のように本発明によれば、環状空間に流下する液体量を少なくすることができるので、液体が気体と共に出口に運び出されることがなく、気液の分離効率を高めることができるという優れた効果を生じる。
【図面の簡単な説明】
【図１】本発明の気液分離器の断面図。
【符号の説明】
１    上本体
２    下本体
３    底蓋
４    入口
５    出口
６    排液口
８    排液弁口
１０    排気管
１１    環状空間
１２    旋回羽根
１４    旋回室
１５    排液弁室
１６    弁フロート
１７    隔壁部材
２１    バイパス管
２２    バイパス通路
【図１】
2005000865.tif 000003
(57)【要約】【課題】ビール粕を含む汚濁水を廃棄処理される物を、再利用する方法と処理方法について、既存バクテリア（隠蔽バクテリア）を有効活用し、産生されるガス類の再利用と自己発熱による再利用を出来る方法を、提供する事。【解決の手段】本発明は、ビール粕を含む汚濁水を処理、若しくは再利用するために、既存バクテリア（隠蔽バクテリア）を利用し、嫌気的培養方法にて、温度設定と連続的攪拌を実施した結果、ガス類と自己発熱による熱エネルギーを得ることが出来た、温度設定については、最初の立ち上がり状態の一時的に必要であるが、自己発熱によりヒーター等が不要で、水中ポンプ等の連続攪拌のみでエネルギー（ガス類や熱エネルギー）を得ることが出来、しかも効率よく汚濁水を、純水状態に処理することが出来、問題を解決した。【特許請求の範囲】
【請求項１】
ビール粕を脱水した後の、汚泥廃棄処理水を嫌気的方法にて攪拌と補助温度を設定した状態で培養を実施すると、既存バクテリア（隠蔽バクテリア）によるガス類と安定した温度、そして汚濁水が純水状態に変化処理される。また脱水しない方法で、同様な方法を取ることで、同じ状況が得られる。
【発明の詳細な説明】
【０００１】
【発明の属する技術分野】
本発明は、ビール粕を脱水した汚濁水、或いはビール粕を脱水しない汚濁水を、嫌気的培養の方法で、水中ポンプ等による攪拌と一時的に温度を設定する事で、ガス類や水ヒーターの安定した温度の確保と汚濁水が純水状態に変化処理される方法である。
【０００２】
【従来の技術】
既存では、ビール粕を廃棄処理する為に水分量を脱水し、粕と汚濁水に分けて、廃棄処理されている。
【０００３】
【発明者が解決しようとする課題】
ビール粕や脱水処理された後の汚濁水から、既存バクテリア（隠蔽バクテリア）によるエネルギー源として、ガス類や自己発熱と汚濁水が純水状態に変化処理される事を目的とした、新エネルギーであるガス類や自己発生する熱カロリーを、再利用できる方法を解決するものである。
【０００４】
【課題を解決する為の手段】
本発明によれば、ビール粕を含む汚濁水を、嫌気的な培養方法にて、温度調整と攪拌を実施した結果、ガス類と自己発熱を得る事と、純水状態に出来た。
【０００５】
【発明の実態の形態】
本発明は、ビール粕類を含む汚濁水を、嫌気的培養の装置で温度と水中ポンプ等による方法で連続的に攪拌を実施した結果、嫌気的培養装置からガス類と自己発生する熱エネルギー、そして純水状態に処理できた。
ビール粕を含む汚濁水量に対して、ヒーターによる設定した温度が伝わらなく時間を必要としたが、継続的、或いはヒーターのカロリーを上げる事で、熱効率が良くなり、ガス類と自己熱エネルギーを、継続的に得ることが出来、また汚濁水が純水状態に処理された。一時的ヒーターの役割は初期段階の立ち上がり状態時に必要であるが、設定温度を施した温度計によると、設定温度以上に上昇し、モーターの連続攪拌のみで、一時的ヒーターの役割も不要で、省エネ化した方法で処理され、問題を解決した。
【０００６】
【実施例】
本発明は、継続的に実験を実施した事で可能にした。
(57)【要約】【課題】効率のよい作業が出来る広告ハガシ具を提供する。【解決手段】一部分に直接又は着脱自在に取っ手付固定部を取り付けた広告ハガシ具であって、固定部の略中央に取っ手を取り付けたり、弾力性のある刃の両端に固定部を介して、取っ手を取り付けたりあるいは曲面状に形成された刃に取っ手付固定部を取り付けた広告ハガシ具である。刃に弾力性をくわえたり刃を曲面状に形成してもよい。【選択図】    図２
2005000852.tif 000002
【特許請求の範囲】
【請求項１】
刃の一部分に取っ手付固定部を取り付けた広告ハガシ具。
【請求項２】
請求項１記載の広告ハガシ具において弾力性のある刃をつけた固定部の略中央に取っ手を取り付けられた事を特徴とする広告ハガシ具。
【請求項３】
請求項１記載の広告ハガシ具において弾力性のある刃の両端に固定部を介して取っ手が取り付けられた事を特徴とする広告ハガシ具。
【請求項４】
請求項１記載の広告ハガシ具において、刃の後端に取っ手付固定部を取り付けた事を特徴とする広告ハガシ具。
【請求項５】
刃の両端に着脱自在の取っ手付固定部を取り付けた事を、特徴とする請求項１〜３のいずれか１項に記載の広告ハガシ具。
【発明の詳細な説明】
【０００１】
【発明の属する技術分野】
本発明は、電柱等の円柱にはっておる広告や宣伝物をはがし落とす広告ハガシ具に関するものである。
【０００２】
【従来の技術】
従来は平面状のへら等の工具を使って広告や宣伝物をはがし落としていた。
【０００３】
【発明が解決しようとする課題】
しかしながら、従来のへら等の工具は平面状に形成してある為曲面になっている円柱にはってある、広告や宣伝物をはがす時、面ではなく線で接する為はがし落とすのに手間がかかった。
【０００４】
【課題を解決するための手段】
本発明は、刃の一部分に直接又は着脱自在に取っ手付固定部を取り付けた広告ハガシ具であって、固定部の略中央に取っ手を取り付けたり弾力性のある刃の両端に固定部を介して取っ手を取り付けたり、あるいは刃の後端に取っ手付固定部を取り付けた広告ハガシ具を提供する事により上記課題を解決したものである。
【０００５】
【発明の実施の形態】
【実施例】
次に本発明の実施の形態を実施例となる図面を参照しながら説明する。
【０００６】
図１（Ａ・Ｂ）は、本発明第一の実施例となる片手用広告ハガシ具の平面図で、図２（Ａ・Ｂ）はその正面図である。図３は本発明の第二の実施例となる両手用広告ハガシ具の平面図で、図４はその正面図である。図５は本発明の実施例に用いる刃の断面図である。図６（Ａ・Ｂ）は、本発明第三の実施例となる曲面状の刃を使用する片手用広告ハガシ具の正面図で、図７はその平面図で、図８はその側面図である。図９は本発明の実施例となる広告ハガシ具の使用例である。
【０００７】
本発明の広告ハガシ具は図１〜図５に示される様に刃４に直接又は着脱自在に取っ手付固定部３を取り付けたものである。
【０００８】
本発明に用いる刃４とは、図１〜図５に示す様に鋼材又は金属類やその他の弾力性のある素材で構成されている。又図６に示す刃５は平面状又は曲面状の形状となっている。この場合の刃５には弾力性のないものも含まれる。
【０００９】
そしてその刃４，５は取っ手付固定部３に取り付けられるが、その取っ手付固定部３は図２や図４に示される様に片手用であったり、両手用であっても良い。又取っ手は図１や図３が示す様に固定部の略中央に設けてもよいし又は刃４の左右両端に設けてもよい。そして取っ手付固定部３に対して刃４の取り付け方向は上向きでも下向きでもよい。又取っ手付固定部３は弾力性があってもよい。
【００１０】
刃４は蝶ねじ等で取っ手付き固定部３に取り付ける。あるいは状況に応じて色々な取り付け方が出来る。
【００１１】
そして、刃４は弾力性のある素材であれば、鋼材だけに限らず金属類やその他の素材が考えられる。そして刃４は弾力性がある為に円柱の曲面に密接する事が出来、円柱にはってある広告や宣伝物を効率よくはぎ落とせる。
【００１２】
図１（Ａ）は取っ手付固定部３の左右に蝶番２が設けてあり、刃４がどの位曲っても幅を調整しバランスが保てる様になっている。図１（Ｂ）の取っ手付固定部３は弾力性のある素材で構成してもよく、その場合刃４がどの位曲っても弾力性により幅を調整しバランスが保てる様になっている。
【００１３】
図３と図４に示される様に両手で使う広告ハガシ具もある。
【００１４】
図５に示される様に本発明で使われる刃４，５は片方の先端が鋭利になっている。
【００１５】
そして刃４は両端を丸く曲げているので円柱を傷つけない。
【００１６】
図６（Ａ・Ｂ）に示される様に片手で使う広告ハガシ具には二通りある。
図６（Ａ）は刃５が曲面状に形成され円柱の曲面に密接し円柱にはってある広告や宣伝物をはぎ落とせる。そして円柱に対し刃５を押し当てる角度を調整する事で色々な大きさの円柱に対応出来る。あるいは刃５を弾力性のあるものにしてもよい。その場合、刃５は図７に示す様に曲面状にしてもよいし平面状に形成してもよい。又図６（Ｂ）は平面状に形成され刃５の先端が湾曲状に形成されている。これにより円柱の曲面にはってある広告や宣伝物に密接し、容易にはぎ落とす事が出来る。この場合円柱の曲面に対し刃５を円柱に押し当てる角度を調整する事でどの大きさの円柱にも対応出来る。
【００１７】
又、取っ手付固定部３により図７や図８に示す様に刃５の曲面の度合を調整出来る。
【００１８】
又、刃５は鋼材だけではなく、金属類やその他の素材が適している。
【００１９】
そして本発明の広告ハガシ具を用いて広告をはがすには、図９に示される様に広告ハガシ具に取りつけてある弾力性のある刃４によって円柱６にはってある曲面状の広告や宣伝物を円柱６の曲面に密接してはがし落とす事が出来る。
【発明の効果】
以上の様に請求項１．２．３．４．５によれば弾力性のある刃や曲面状に形成した刃を使う事で円柱の曲面にはってある広告や宣伝物を従来のへら等の工具の様に円柱の曲面に対して線で接するのではなく面で接する様にはがし落とす事で作業効率が上がった。
【図面の簡単な説明】
【図１】片手用広告ハガシ具の平面図
【図２】片手用広告ハガシ具の正面図
【図３】両手用広告ハガシ具の平面図
【図４】両手用広告ハガシ具の正面図
【図５】本発明に用いる刃の断面図（刃４，５）
【図６】曲面状に形成された刃に取っ手付固定部を取り付けた広告ハガシ具の正面図。
【図７】曲面状に形成された刃に取っ手付固定部を取り付けた広告ハガシ具の平面図。
【図８】曲面状に形成された刃に取っ手付固定部を取り付けた広告ハガシ具の側面図。
【図９】使用例として円柱に広告ハガシ具を密接した図。
【符号の説明】
１    広告ハガシ具
２    蝶番
３    取っ手付固定部
４    刃
５    曲面状に形成した刃
６    円柱
【図１】
2005000852.tif 000003
【図２】
2005000852.tif 000004
【図３】
2005000852.tif 000005
【図４】
2005000852.tif 000006
【図５】
2005000852.tif 000007
【図６】
2005000852.tif 000008
【図７】
2005000852.tif 000009
【図８】
2005000852.tif 000010
【図９】
2005000852.tif 000011
(57)【要約】【課題】本発明は、浴槽や水槽に於ける配管である循環路内に増殖するレジオネラ属菌及び、一般細菌等によるバイオフィルムの形成を抑制、殺菌する方法を備えた装置を提供する。【解決手段】浴槽等に、ポンプや集毛器、熱交換器、濾過機等を備えた機械類を介在させた循環路を配して成る循環装置ポンプと機械類との間に、分岐管を介在させて、該分岐管から浴槽等の排水口に向かった湯水の流を生じさせるバイパス管を配し、該パイプ管の分岐管に近寄った側に滅菌装置からの消毒剤供給口を接続した構成とした。【選択図】  図２
2005000857.tif 000002
【特許請求の範囲】
【請求項１】
浴槽、水槽に、ポンプや集毛器、熱交換器、濾過機等を組込み、或は配列した機械類を介在させた循環路を配して成る循環装置において、該循環路には、浴槽、水槽から前記ポンプを介在して前記機械類を配した循環路のポンプと機械類との間に、分岐管を介在させて、該分岐管から浴槽、水槽の排水口に向かった湯水の流を生じさせるバイパス管を配し、該パイプ管の分岐管に近寄った側に滅菌装置からの消毒剤供給口を接続した構成としたことを特徴とする浴槽、水槽等に配する循環装置。
【発明の詳細な説明】
【０００１】
【発明の属する技術分野】
本発明は、浴槽や水槽に於ける配管である循環路内に増殖するレジオネラ属菌及び、一般細菌等によるバイオフィルムの形成を抑制、殺菌する方法を備えた装置に関する発明である。
【０００２】
【従来の技術】
従来、浴槽中や水槽中に繁殖する雑菌を消毒するための装置の構成は、図１に示すように浴槽や水槽１に、ポンプ３、熱交換器、濾過機等を組み込んだ、或は配列した機械類４を介在させた循環路２を設け、その循環路２に配した前記機械類４と浴槽、水槽１との間に滅菌剤を供給する滅菌装置５を配して構成していた。
この雑菌を消毒するための滅菌装置５を稼動して浴槽、水槽１の中の湯水を消毒するには、ポンプ３、機械類４、滅菌装置５をそれぞれ稼動して、浴槽、水槽１の中の湯水を循環路２を通して循環させ、その循環の過程で滅菌装置５から消毒剤を循環路２中に供給して、消毒剤を混入した湯水を浴槽、水槽１の中に供給するという仕組みから出来ている。
【０００３】
ところで、浴槽、水槽１の中の湯水が人の入浴などで汚れると、湯水の中に混入された消毒剤が著しく消費される。従って、浴槽、水槽１の中の湯水は汚れた湯水となる。この汚れた湯水が浴槽、水槽１から排出されると、汚れた湯水のため、浴槽、水槽１からポンプ３に至る循環路２には、一般細菌が増殖して循環路内にバイオフィルムが付着してレジオネラ属菌等の発生を助長し、そればかりでなく、機械類４の中までバイオフィルムを付着させることになり、これが循環路２を通って循環し、やがては入浴者に感染して重大な事故を誘発することとなる不都合が生じることが実証されている。
【０００４】
【発明が解決しようとする課題】
上記した構成の装置では、滅菌装置を前記した個所に設置するので、滅菌装置からの消毒剤の供給は、負圧状態の循環路に消毒剤を注入することになり、滅菌装置から循環路に消毒剤が強力に吸引され、微量調整した消毒剤の供給は難しいと言うことと、浴槽、水槽からの上記した汚れた湯水を排出して循環路を通して循環させようとする考え方では滅菌装置から消毒剤を供給して消毒剤を汚れた湯水に混入した循環路、特に浴槽、水槽からポンプに至る循環路を雑菌が繁殖し、循環路中にバイオフィルムを作ることになると言うことの不都合を除去し、常に清潔な状態で湯水を循環できる循環路とする装置を提供しようとするものである。
【０００５】
【課題を解決するための手段】
浴槽、水槽には、湯水を循環する循環路に、ポンプ、集毛器、熱交換器、濾過機等を組込み、或は配列した機械類を介在させてある。該循環路には、消毒剤を供給する滅菌装置を配して成る。浴槽、水槽の中に繁殖する雑菌を消毒するための装置において、浴槽、水槽から前記ポンプを介在して前記機械類を配した循環路のポンプと機械類との間に、分岐管を介在させてある。
分岐管から浴槽、水槽に向かった湯水の流を生じさせる排水口側に、バイパス管を配してある。該パイプ管の分岐管に近寄った側に滅菌装置からの消毒剤供給口を接続した構成とした。
【０００６】
【実施例】
本発明の浴槽、水槽の湯水の循環は、従来どうり浴槽、水槽１の排水口１Ａから、処理した湯水を浴槽、水槽に供給する戻し口１Ｂの間に配するポンプ３、機械類４の間を循環路を介して循環させる。
その循環路は、ポンプ３と機械類４の間に分岐管６を配し、分岐管６と浴槽、水槽１の排出口側との間に分岐管６から浴槽、水槽１の排水口１Ａの間にバイパス管７を配する。バイパス管７の分岐管６に近寄った個所に滅菌装置５からの消毒剤供給口を接続し、その消毒剤供給口から消毒剤を供給するようになっている。
【０００７】
本発明による浴槽、水槽１への湯水の循環は、浴槽、水槽１の排出口１Ａからポンプ３の作動により吸引され循環路２の入口を通って、ポンプ３から機械類４に送られ、その湯水は戻し口１Ｂから浴槽、水槽１に供給される。
この湯水の流は、循環路２のポンプ３と機械類４を配した個所の間に配した分岐管６によって分流する。
バイパス管に配した弁により、浴槽、水槽１の排水口１Ａとの間を継いだバイパス管７に向かった流を生ずる。
【０００８】
この滅菌装置５からの消毒剤の供給は、前記したバイパス管７に向かって行われるので、水圧のかかった湯水の流れに消毒剤を供給することになる。
従って、従来の装置のように、負圧状態の循環路２に滅菌装置５から消毒剤を供給するのではないから、強力な吸引力を生じている循環路２に消毒剤を供給することにはならない。
これによって、微量な消毒剤を微調整しながらバイパス内に供給できる。
バイパス管内を流れる湯水は、消毒剤を混入した湯水となって浴槽、水槽の排出口側に向かって流れる。
消毒剤を混入した湯水は、浴槽、水槽の排出口から循環路に向かって流れる湯水に混じって循環路中に流れる。
【０００９】
【発明の効果】
本発明による装置によれば、消毒剤をバイパス管に供給することにより、消毒剤を混入した湯水が循環路水に流入するので、本来の循環路中も消毒され、汚染されることはない。
また、浴槽、水槽には常に消毒剤を混入した湯水を循環供給できる。
【図面の簡単な説明】
【図１】従来の浴槽、水槽等に配する循環装置の構成図
【図２】本発明にかかる浴槽、水槽等に配する循環装置の構成図
【符号の説明】
１．浴槽、水槽
２．循環路
３．ポンプ
４．機械類
５．滅菌装置
６．分岐管
７．バイパス管
【図１】
2005000857.tif 000003
【図２】
2005000857.tif 000004
(57)【要約】      （修正有）【課題】男性の小用時に、便器の周りに尿がこぼされることを防ぐ為、便器の中央部に放尿するように誘導する。【解決手段】トイレットペーパー１に尿をかけたくなる、絵３や文字、柄などを表示し、便器２内中程に敷く。次なる立小便する男性は、誘導された様に表示に尿をかける。この様な誘導する要素をもたせた、トイレットペーパーである。【選択図】図１
2005000180.tif 000002
【特許請求の範囲】
【請求項１】
トイレットペーパー（１）に、注意を引く絵（３）や文字、柄などを表示をし、これを便器（２）内中程に広げ置いておく事により、次なる男性使用者に排尿を命中させたくなる心理作用を起こさせて誘導するものとなり、便器外部にこぼさせない効果を生むものとなる、トイレットペーパー。
【発明の詳細な説明】
【０００１】
【産業上の利用分野】
本発明は、注意を引く表示がされたトイレットペーパー（１）とする。
これを、便器（２）の中程に広げ敷いておく事により、次なる使用者が、男性であれば、これに立小便を命中させたくなる心理作用を起こさせて、誘導する物となる。結果的に便器の周りに、こぼすことを防ぐトイレットペーパーとなる。
簡単な表示で、掃除の回数を減らす事になる、トイレットペーパーを提供する。
【０００２】
【従来の技術】
従来、男性が立小便をすると、どうしても便器の外部へこぼす事が多かった。
従来、これを防ぐ方法はなく、各自の自覚に頼るしかなかった。
よって、これを防ぐ技術もなかった。
【０００３】
【発明が解決しょうとする課題】
従来から、トイレの便器外周と、その外部は汚れる事が多かった。
これは主に男性が立小便をこぼす事によるところが多い。
本発明は、男性の立小便を、便器の中央部に放尿する様に、誘導する要素を持たせたトイレットペーパーとする。
【０００４】
【課題を解決する為の手段】
トイレットペーパー（１）に注意を引く絵（３）や文字、柄などを表示する。
トイレを使用した各人は、トイレットペーパー（１）を便器（２）の中程に敷いておくことにより、表示に注目させ、次なる男性使用者には尿を掛けたくなる意識を起こさせ、誘導された様に中程に落下させる。
この様に、尿をかけたくなる表示にて、結果的にこぼさない課題を解決する。
【０００５】
【作用】
トイレットペーパー（１）に尿をかけたくなる絵（３）や文字、柄を表示し、これを便器（２）の中程に敷くことにより、自然に命中させようという意識を起こさせ、結果的に誘導されて便器の中程に放尿するものとなる。
便器外部を汚さない作用を生む、トイレットペーパー（１）となる。
【０００６】
【実施例】
第１図に於いて説明すると、トイレットペーパー（１）にあらかじめ絵（３）や文字、柄などを表示する。
トイレ使用者は、使用後に便器の水溜まり部分から、中程にかけてトイレットペーパー（１）を広げておく。
次なる使用者が男性であれば尿をかけたくなる絵（３）や文字、柄に誘導されて尿を命中させる心理作用を起こさせ、表示に尿をかける。
これにより便器（２）の外部に尿をこぼさない結果を生む。
便器の形式は、和式洋式問わず、水洗形式であれば水溜まり部分があり適する。第２図に於いて説明すると、トイレットペーパー（１）にはあらかじめ、視覚に訴え、誘導する要素を適位置に表示する。
それは、尿をかけたくなる絵（３）や文字、柄などで、例えば昆虫や爬虫類、又はその他の動植物、キャラクターや空想画、標識やロゴマーク、絵記号、単文字や文章などで、訴え、誘導する要素があればよい。
【０００７】
【発明の効果】
トイレットペーパー（１）に予め注意を引く、絵（３）や文字、柄などを表示し、各使用者はこれを便器（２）中程に敷く。
次なる男性の立小便が、中程の表示にかける結果を誘導するものとなり、周りにこぼれることを防ぐ効果を生む。
【図面の簡単な説明】
【図１】本発明の上面図である。
【図２】本発明の斜視図である。
【記号の説明】
（１）・・・トイレットペーパー    （２）・・・便器      （３）・・・絵
【図１】
2005000180.tif 000003
【図２】
2005000180.tif 000004
(57)【要約】【課題】従来、畑等の農作物に被害を与える各種鳥類に対する防鳥網の使用は普及しているが、張りめぐらした網下に入って作業をすることは容易にはできなかったし、網体は支柱の頂端部に固定されるように成るため、網体の円滑かつ迅速な張設を困難にしていた。本発明は、防鳥ネットの取付け作業をきわめて円滑かつ迅速に行うことができるとともに、防鳥効果に適した高さや農作業に適した高さを容易かつ確実に確保することができるネットの取付装置を提供することを目的とする。【解決手段】本発明は、上面部が円弧面と滑面とを形成した円盤１の内側中央に柱受け部２を設け、ここに適当長さに成る支柱４を嵌着し、所定場所に設置した多数の支柱上の前記円盤の上面部に網体５を架け張りするようにして成るものである。【選択図】    図４
2005000116.tif 000002
【特許請求の範囲】
【請求項１】
上面部が円弧面と滑面とを形成した円盤の内側中央に柱受け部を設け、ここに適当長さに成る支柱を嵌着し、所定場所に設置した多数の支柱上の前記円盤の上面部に網体を架け張りするようにすることを特徴とする防鳥ネットの取付装置。
【発明の詳細な説明】
【０００１】
【発明の属する技術分野】
本発明は、防鳥ネットの取付装置に関するものである。
【０００２】
【従来の技術】
畑等の農作物に被害を与える各種鳥類に対する防鳥網の使用は普及しているが、張りめぐらした網下に入って作業をすることは容易にはできなかったし、網体は支柱の頂端部に固定されるように成るため、網体の円滑かつ迅速な張設を困難にしていた。
【０００３】
従来、果樹園で使用する防鳥ネットとしては、実用新案登録第３０９１４１５号のごとき考案が知られているが（特許文献１参照）、これは支柱を挿入するキャップに縦横方向から架設する支線を貫通させてこれを下方から支柱を差し込んで張り支えるようにしていたものであるから、網体の円滑かつ迅速な張設は困難で、時間と手数がかかっていた。
【０００４】
【特許文献１】
登録実用新案第３０９１４１５号公報（図３、段落番号０００５）
【０００５】
【発明が解決しようとする課題】
そこで、本発明は、防鳥ネットの取付け作業をきわめて円滑かつ迅速に行うことができるとともに、防鳥効果に適した高さや農作業に適した高さを容易かつ確実に確保することができる装置を提供することを目的とするものである。
【０００６】
【課題を解決するための手段】
本発明は、上面部が円弧面と滑面とを形成した円盤の内側中央に柱受け部を設け、ここに適当長さに成る支柱を嵌着し、所定場所に設置した多数の支柱上の前記円盤の上面部に網体を架け張りするようにして成るものである。
【０００７】
【発明の実施の形態】
いま所定の畑等の中心部および適当間隔をおいた周囲部に配置した支柱上に本円盤を嵌着した後、この円盤上面に所定の網体を架け渡して張り合わせる。これによって各円盤の上面部に載置した網体は、円盤面をよく滑りながらその全体の緊張度を適度に調整して張り合うようになる。
【０００８】
このようにして張られた網体内部において農作業をすることは、支柱の高さを人が十分中に入れる高さに変えることができるようにするから問題はなく、作業後は防鳥効果に適する高さに戻すことができる。
【０００９】
【実施例】
１は上面部が円弧面と滑面から成る円盤で、この円盤の内側中央には柱受け部２を設け、この柱受け部の周囲には補強リブ３・・を設ける。
【００１０】
４は上端部を前記柱受け部２に嵌着する適当長さに成る支柱で、この支柱は着脱自在になる。
【００１１】
支柱４の材質は問わず、天然竹でもよい。また、この支柱４は伸縮自在に調節できる構成にしてもよい。
【００１２】
図５においては、畑における施工状態の一例を示しているが、所定面積の畑の中心部およびこの周囲に適当間隔をおいて立設した支柱４・・の頂端に前記円盤１・・を嵌着し、しかる後に各円盤の上面部に所定の網体５を架け置いて張りわたす。
【００１３】
この網体の周囲端部は地上との間に固定子６・・によって固定するが、この固定子は上下に作動することができるようにフリーな状態にし、任意の高さ位置に固定できるようにする。
【００１４】
【発明の効果】
本発明はこのような構成及び作用から成るものであるため、所定の畑等の農作物に対して防鳥用ネットを設置するときは、広面積に張り架ける網体が各円盤の上面に載置されて自由に滑りながらスムースに調整され、全体が適度の緊張に張り合うことができるようになり、ネット全体が平均的に良好な緊張度を保持して取付けられるようになるのである。
【００１５】
また、ネット下において農作業をするスペースが十分確保されるように支柱上のネットの高さ位置を自在に変えることができるから、ネット内部で作業するには支障はないのである。
【図面の簡単な説明】
【図１】要部の正面図
【図２】要部の底面図
【図３】図２Ａ−Ａ線断面図
【図４】網張り状態を示す要部の正面図
【図５】網張り状態の平面図
【符号の説明】
１                円盤
２                柱受け部
４                支柱
５                網体
６                固定子
【図１】
2005000116.tif 000003
【図２】
2005000116.tif 000004
【図３】
2005000116.tif 000005
【図４】
2005000116.tif 000006
【図５】
2005000116.tif 000007